(57)【特許請求の範囲】
【請求項１】
破砕処理物を搬送するための、傾斜したコンベヤのコンベヤベルトの進行方向に対して直交し、前記コンベヤベルトに設けられたサンの切欠き部を塞ぐように、且つその先端がベルトと密接するように配置されるコンベヤテール部からの前記破砕処理物に含まれる砂状ゴミの前記切り欠き部を通って落下することを防止するブラシ材からなるテールスカートであって、前記ブラシ材が、黒シダ植物繊維であることを特徴とするベルトコンベヤ用テールスカート。
【請求項２】
前記テールスカートの厚さが、前記サンの厚さの１〜２倍であることを特徴する請求項１記載のベルトコンベヤア用テールスカート。
【請求項３】
前記テールスカートの丈の長さは、前記サンの高さの２〜３倍であることを特徴とする請求項２記載のベルトコンベヤ用テールスカート。
【発明の詳細な説明】
【技術分野】
【０００１】
本発明は、家電などの粗大ごみ処理施設において破砕処理された処理物を搬送するコンベヤのテール部端部からの砂状ごみのこぼれを防止するテールスカートに関する。
【背景技術】
【０００２】
家電などの粗大ごみ処理施設において破砕処理された処理物を搬送するコンベヤには、移送物が滑落するのを防止するためにサン付コンベヤベルトが使用される。サン付コンベヤベルトの搬送側はベルト裏面からローラにより支持されるが、返送側は表面から支持されなければならないため、ローラに代えて回転円板によって支持される。したがって、サンには前記回転円板を逃げるための切欠き部が設けられている。
【０００３】
粗大ごみ処理施設において破砕処理された処理物には、破砕時に発生する砂状ごみのほか、粗大ごみに付着した砂状ごみも多く含まれるので、係る砂状ごみは、サンに設けられた上記切欠き部を通して傾斜したコンベヤベルト上をベルトの搬送方向に逆らって滑落し、コンベヤのテール部の端部から落下する。
落下した砂状ごみはベルトコンベヤのテール部の下に設置されたピットに堆積し、量が多くなると、コンベヤの運転に支障をきたすこととなるので、人力による定期的な除去作業が必要であった。
【０００４】
上記砂状ごみのベルトコンベヤのテール部の端部から落下を防ぐため、従来、スリットを設けたゴム製テールスカートあるいは帯状ゴムからなるテールスカートが提案されている（特許文献１）。このようなテールスカートを用いれば、砂状ごみのベルトコンベヤテール部の端部からの落下を防ぐことができるとしている。
しかし、ゴムは剛性があり摩擦力も大きいので、サン付のベルトコンベヤの場合には、前記ベルトに設けられたサンが前記ゴム製のテールスカートを通過する際に、サンに形成された切欠き部の通過する帯状ゴムスカート部分は、隣接のサンの通過する帯状ゴムスカート部分がサンによって捲れると、干渉してめくれてしまい、テールスカートとベルトの表面との間に隙間が生じて、この隙間から砂状ごみは落下してしまう。さらに、テールスカートの下端部は、コンベヤベルトと接触し、大きな摩擦力が作用するので摩耗し易く、テールスカート自体も短期間でベルトとの間に隙間が生じてしまうので、効果的に砂状ごみの落下を防ぐことができなかった。
【先行技術文献】
【特許文献】
【０００５】
【特許文献１】特開２００１−１３９１２７号公報
【発明の概要】
【発明が解決しようとする課題】
【０００６】
本発明の目的は、上記従来技術の問題点を解決し、家電などの粗大ごみ処理施設において破砕処理された処理物を搬送する際に、ベルトコンベヤのテール部の端部から砂状ごみが落下するのを効果的に防止することができるテールスカートを提供することである。
【課題を解決するための手段】
【０００７】
本発明者は、効果的に砂状ごみの落下を防止できるテールスカートを求め、種々の材質のテール部スカートを作成して実験を行った結果、ブラシ材を用いたテールスカートが効果的に砂状ごみの落下を防止できることを見出し、本発明に至ったものである。
【０００８】
本発明のように、砂状ごみがサン付コンベヤベルトのサンに設けられた切欠き部を通して滑落するのを効果的に防止するためには、サン付コンベヤベルトがテールスカートを通過する際に、テールスカートにおいて捲れ難いことが求められる部分と捲れ易いことが求められる部分が互いに干渉し難いことが求められるところ、ブラシ材は、適度な柔軟性、剛性と優れた耐耗性を有し、且つほうきのように砂状ごみを集める性質を有するので、これをテールスカートとして使用すれば、砂状ごみがベルトコンベヤのテール部の端部から滑落するのを効果的に防止することができる。
【０００９】
本発明の実施態様は、以下のとおりである。
（１）コンベヤベルトの進行方向に対して直交し、少なくとも前記コンベヤベルトに設けられたサンの切欠き部を塞ぐように、且つその先端がベルトと密接するように配置されるコンベヤテール部からの砂状ゴミの落下防止用ブラシ材テールスカート。
（２）前記ブラシ材テールスカートが、サンの両端側の隙間部も塞ぐように配置されている（１）のブラシ材テールスカート。
（３）前記ブラシ材テールスカートのコンベヤ進行方向後方に所定の間隔を置いて、少なくともコンベヤベルトに設けられたサンの切欠き部を塞ぐように、且つその先端がベルトと密接するように配置される補助ブラシ材テールスカートを備えた（２）のブラシ材テールスカート。
（４）前記ブラシ材が植物繊維である（１）ないし（３）のいずれかに記載のブラシ材テールスカート。
【００１０】
本発明で使用されるブラシ材テールスカートは、線径約０．３φｍｍ程度の細い繊維を多数本束ねて、ブラシ状にしたものである。このブラシ材テールスカートは、全体が１枚であってもよく、複数のほうき状の部品から構成されたものであってもよい。複数分離した複数のほうき状部品から構成する場合には、部品同士のお互いが干渉しない距離を持たせ、各ほうき状部品は、サンの切欠き部の幅の２倍以上の幅のもので構成することが好ましい。
【００１１】
前記ブラシ材は、天然の植物繊維や合成樹脂が使用できるが、柔軟性、剛性、耐摩性等の点で、植物繊維が好ましく、特に黒シダから得られる植物繊維が好ましい。
【００１２】
前記ブラシ材テールスカートの丈の長さは、その屈曲点から先端までが、サンの高さの２〜３倍程度であることが好ましい。この長さであれば、サンの通過に起因する捲れによるテールスカートのベルトと接触する一端のサンの移動に伴って移動する距離を最小限に抑えることができる。
テールスカートの丈が長すぎると、その屈曲点から先端までの距離が長く、サンの通過に起因する捲れによる移動距離が長くなり、サン通過後、テールスカートのベルトと接触する一端が元の位置への移動に時間がかかるので、サンの切欠き部からの砂状ゴミの滑落が発生し易くなる。
【００１３】
前記ブラシ材テールスカートの厚さは、サンの厚さの１〜２倍程度であることが好ましい。厚すぎると、テールスカートには、ベルト表面やサンと接触することによる抵抗が大きくなり、コンベヤ本体も過負荷で停止してしまう恐れがある。さらに、ベルトコンベヤがテールスカートを通過する際に、テールスカートにおいて、ベルトコンベヤのベルトに設けられたサンの切り欠き部に当たる部分も、サンに当たる部分の捲れに干渉されやすくなり、テールスカートとベルト表面との間に隙間が発生してしまう恐れがある。逆にサンの厚さより薄いと、テールスカートの砂状ごみに対する保持力が不十分で、砂状ごみのこぼれ防止を十分に達成できなくなる。
【００１４】
前記ブラシ材テールスカートとベルトとの間の接触程度は、スカートとベルトとの間に隙間が生じない程度に密接させることが好ましく、押し付けてしまうと、ベルトに対する抵抗が大きくなるとともに、サンに当たるスカート部分がサンの通過時にめくれる方向以外に力がかかり、サンが通過するときに捲れ難くなってしまい、抵抗がさらに増大する。
【００１５】
また、返送側のコンベヤベルトの両端を支持する回転円板を避けるため前記サンの両端には隙間部が設けられる。搬送側のベルトコンベヤは両端部から搬送物の落下を防ぐため両端側に傾斜が設けられているので、当該隙間部から滑落する砂状ごみの量はサンの切欠き部から滑落する砂状ごみの量と比べれば少ないが、前記ブラシ材テールスカートで、前記隙間部をも覆うように配置すれば、ベルトコンベヤのテール部から落下する砂状ごみの量をより少なくすることができる。
【００１６】
前記補助ブラシ材テールスカートは、前記ブラシ材テールスカートからこぼれ落ちる、少量の砂状ごみを保持するもので、少なくとも前記サンの切欠き部を覆うように配置する必要がある。係る補助ブラシ材テールスカートは、全体が１枚のブラシで構成してもよく、お互いが干渉しない距離を持たせた複数のほうき状の部品で構成してもよい。
【００１７】
また、前記補助ブラシ材テールスカートは前記ブラシ材テールスカートのコンベヤ進行方向後方に設置される。両者の間隔はブラシ状スカートによって滑落防止できなかった砂状ごみが広がらない距離で、且つ両ブラシ材テールスカートが互いに干渉しないように設置するのが好ましい。
【発明の効果】
【００１８】
本発明におけるテールスカートとして使用するブラシ材テールスカートは、適度の柔軟性、剛性と耐耗性を有する繊維の集合体なので、稼働中のベルトコンベヤがテールスカートを通過する際に、テールスカートにおいて、サンに当たる部分がめくれても、切欠き部に当たる部分は干渉され難く、そのままの状態を維持し、サンの切欠き部から落下する砂状ごみを確実に保持し、従来法と比べ、切欠き部から落下する砂状ごみの量を大幅に低減することができる。
【００１９】
さらに、前記ブラシ材テールスカートのコンベヤ進行方向後方に、補助ブラシ材テールスカートを設置することによって、ブラシ材テール部スカートによって滑落防止ができなかった砂状ごみは、補助ブラシ材テール部スカートによって滑落防止ができるため、ベルトコンベヤのテール部の端部から砂状ごみのこぼれをほぼ完全に防止することができる。
【図面の簡単な説明】
【００２０】
【図１】本発明のブラシ材テールスカートを備えたコンベヤの概略図である。
【図２】本発明のコンベヤの断面方向からコンベヤベルトに取り付けられたサンの形状を示した図である。
【図３】本発明のコンベヤにおけるブラシ材テールスカートの取り付け状態を示す図である。
【図４】本発明のコンベヤにおける補助ブラシ材テールスカートの取り付け状態を示す図である。
【図５】本発明のコンベヤにおける２つのブラシ材テールスカートの取り付け状態を横方向から見た図である。
【発明を実施するための形態】
【実施例】
【００２１】
以下、本発明の実施例を説明するが、本発明がこの実施例に限定されないことは当業者にとって自明である。
図１は、本発明のブラシ材テールスカート１１を有するベルトコンベヤ１の全体を示す図面である。本実施例では、ベルト３にサン４が設けられており、隣り合ったサン４の間隔が５００ｍｍで、全長約２３ｍのベルトコンベヤを使用した。
【００２２】
破砕機２で破砕された粗大ごみは、ベルトコンベヤ１のテール部１５付近で、本発明のブラシ材テールスカート１１のベルトの進行方向下流側に供給される。ベルトコンベヤ１のベルト３には破砕物の滑落を防止するためのサン４が設けられ、破砕物はこのサン４に保持されて上方に搬送され、次工程の選別機５に供給される。
【００２３】
図２は、前記ベルトコンベヤの断面で、ベルト３上に設けられたサン４の形状を示している。サン４はサンに設けられた切欠き部７によって、幅がそれぞれ１２０ｍｍ、２４０ｍｍ、及び１２０ｍｍ三つの部分となり、高さが７０ｍｍ、厚さが２０ｍｍ程度である。サンの切欠き部７の幅は５０ｍｍ程度である。搬送側ベルト３ａは、下方のローラにより両端が傾斜して支持され、ベルト３ａの上面はサイドスカート９、及びサイドスカート天蓋１０によって覆われ、粉じんなどが外部に飛散することを防いでいる。図２に示されるように、前記サン４には、返送側ベルト３ｂにおけるベルト保持用の回転円盤６の当たりを避けるため、サンの切欠き部７及びサン両端部の隙間部８が設けられている。そのため、粉砕物に含まれる砂状ごみは、本発明のブラシ材テールスカートが配置されていない場合、このサンの切欠き部７や隙間部８を通して傾斜したベルト上をベルトの進行方向に反して滑落し、図１に示したコンベヤのテール部端部１５からピット１６に落下してしまう。
一般的なゴミ処理施設では、上述したゴム製のテールスカートを使用した場合でも、ピット１６に落下した砂状ごみは５日ごとに人力で排出する必要があった。
【００２４】
図３は、本発明のブラシ材テールスカート１１を使用したベルトコンベヤを示す。
本実施例では、ブラシ材テールスカートの材料として、植物繊維である黒シダを利用した。
【００２５】
本発明のブラシ材ブラシテールスカート１１は、丈が１９０ｍｍ程度で、径が約０．３φｍｍの黒シダ糸を多数本束ねて、厚みが２５ｍｍ程度であり、全体１枚で構成されている。
サン４に設けられた切欠き部７及びサン両端に設けられた隙間部８のすべてを覆うよう、ベルトの全幅を亘って、その下端部はベルト３aと密接するように設置し、その上端の３０ｍｍ程度の部分は、コンベアのサイドスカート天蓋１０に付けられた取り付け部材１２に固定される。
本実施例では、一体化されたブラシでブラシ材テールスカートを構成したが、サン４の２か所の切欠き部７、必要に応じてさらにサン両端の隙間部を塞ぐよう、２つの又は複数のほうき状の部品で構成してもよい。
【００２６】
図４、５は、補助ブラシ材テールスカートを備える実施例を示す。本実施例において、補助ブラシ材テールスカートは、丈が１９０ｍｍ程度で、幅が２５０ｍｍ程度の２つのほうき状の部品から構成されている（図４参照）。
補助ブラシ材テールスカートは、ブラシ材テールスカート１１のコンベヤ進行方向後方に１００ｍｍ〜２００ｍｍの距離を置いて、その下端部はサンの切欠き部を覆うように、その上端の３０ｍｍ程度の部分は、コンベヤのスカート天蓋１０に取り付けた取り付け部１４に、これら２つのほうき状の部品同士が、互いに干渉しないように、両者の間に２０ｍｍの間隔を設けて固定されている。
この実施態様においても、複数のほうき状の部品で補助ブラシ材テールスカートを構成する代わりに、複数のほうき部品を隙間なく並べるなどによって、１枚で構成される補助ブラシ材テールスカートとしてもよい。
【００２７】
図３のようにブラシ材テールスカート１１を配置すると、ベルト面を滑落する砂状ごみは、ブラシ材テールスカート１１によって保持され、サンの切欠き部７、サンの両端の隙間部８に当たるところの保持量が多くなるとサン４が形成されている箇所に滑落するのでサン４により保持されて移送されることになる。また、サン４がブラシ材テール部スカート１１と接触して、サンに当たる部分がめくれても、切欠き部７や、サンの両端の隙間部８に当たる部分はそのままの状態が維持されるので、切欠き部７や隙間部８を通過して滑落する砂状ごみの量は、劇的に減少する。
【００２８】
さらに、図４，５のように、ブラシ材テールスカートのベルトコンベヤの進行方向後方に所定の間隔を置いて補助ブラシ材テールスカートを設ければ、ブラシ材テールスカートによって滑落防止ができなかった砂状ごみは、前記補助ブラシ材テールスカートによって保持されるので、ベルトコンベヤのテール部の端部から砂状ごみの落下をほぼ完全に防止することができ、コンベヤの稼働に伴うメンテナンス労力を大幅に削減することができる。
【符号の説明】
【００２９】
１  ベルトコンベヤ
２  破砕機
３  コンベヤベルト
３ａ  搬送側コンベヤベルト
３ｂ  返送側コンベヤベルト
４  サン
５  選別機
６  回転円盤
７  切欠き部
８  隙間部
９  サイドスカート
１０  サイドスカート天蓋
１１  ブラシ材テールスカート
１２  ブラシ材テールスカートの取付け部材
１３  補助ブラシ材テールスカート
１４  補助ブラシ材テールスカートの取付け部材
１５  ベルトコンベヤのテール部端部
１６  ピット
【図１】
0006438272.tif 000002
【図２】
0006438272.tif 000003
【図３】
0006438272.tif 000004
【図４】
0006438272.tif 000005
【図５】
0006438272.tif 000006